(57)【要約】【課題】提示される情報の煩雑化を抑制し、より直感的なユーザインタフェースの実現を可能とする。【解決手段】コンテンツに関連する文字情報が提示された表示領域に対する操作に基づき、当該コンテンツに関する所定のパラメタを設定する制御部を備え、前記制御部は、前記パラメタに応じて、前記文字情報の表示態様を制御する、情報処理装置。【選択図】図３
2016181097.tif 000002
【特許請求の範囲】
【請求項１】
コンテンツに関連する文字情報が提示された表示領域に対する操作に基づき、当該コンテンツに関する所定のパラメタを設定する制御部を備え、
前記制御部は、前記パラメタに応じて、前記文字情報の表示態様を制御する、情報処理装置。
【請求項２】
前記制御部は、前記パラメタに応じて、前記文字情報の表示態様が、当該文字情報に対する所定の方向に向けて変化するように制御する、請求項１に記載の情報処理装置。
【請求項３】
前記制御部は、前記パラメタに応じて、前記文字情報が占める領域中の表示態様を制御する、請求項２に記載の情報処理装置。
【請求項４】
前記文字情報の表示態様が変化する方向は、当該文字情報として使用される言語に応じた文字が書き進められる書字方向に応じて決定される、請求項２に記載の情報処理装置。
【請求項５】
前記制御部は、互いに異なる複数の前記パラメタのうち、少なくとも一部の前記パラメタに応じて、前記文字情報の表示態様が、当該パラメタに対応付けられた方向に向けて変化するように制御する、請求項２に記載の情報処理装置。
【請求項６】
前記制御部は、互いに異なる複数の前記パラメタのうち、第１のパラメタと、当該第１のパラメタとは異なる第２のパラメタとのそれぞれに対して、前記文字情報の表示態様を変化させる方向として、互いに異なる方向を対応付ける、請求項５に記載の情報処理装置。
【請求項７】
前記制御部は、前記表示領域中の前記文字情報が提示されていない少なくとも一部の領域に対して、表示オブジェクトが提示されるように、当該表示領域の表示を制御する、請求項１に記載の情報処理装置。
【請求項８】
前記制御部は、前記文字情報とは異なる前記表示オブジェクトが、前記一部の領域に提示されるように、前記表示領域の表示を制御する、請求項７に記載の情報処理装置。
【請求項９】
前記制御部は、前記文字情報に含まれる文字の少なくとも一部の要素が、所定の方向に向けて延伸するように形成された表示オブジェクトが、前記一部の領域に提示されるように、前記表示領域の表示を制御する、請求項７に記載の情報処理装置。
【請求項１０】
前記制御部は、前記文字情報に含まれる少なくとも一部の文字に応じて、提示される前記表示オブジェクトを切り替える、請求項７に記載の情報処理装置。
【請求項１１】
前記制御部は、前記文字情報の長さに応じて、前記表示オブジェクトの表示態様を制御する、請求項７に記載の情報処理装置。
【請求項１２】
前記制御部は、前記表示領域に対する操作の有無に応じて、前記表示オブジェクトの表示態様を制御する、請求項７に記載の情報処理装置。
【請求項１３】
前記制御部は、前記表示領域中に表示された内容が所定の条件を満たす場合に、前記文字情報のうち、少なくとも一部の文字が所定の方向に向けて延伸するように、当該文字を変形させる、請求項１に記載の情報処理装置。
【請求項１４】
前記制御部は、前記文字情報に含まれる各文字のうち、前記パラメタに応じた少なくとも一部の文字の表示態様を制御する、請求項１に記載の情報処理装置。
【請求項１５】
プロセッサが、
コンテンツに関連する文字情報が提示された表示領域に対する操作に基づき、当該コンテンツに関する所定のパラメタを設定することと、
前記パラメタに応じて、前記文字情報の表示態様を制御することと、
を含む、情報処理方法。
【請求項１６】
コンピュータに、
コンテンツに関連する文字情報が提示された表示領域に対する操作に基づき、当該コンテンツに関する所定のパラメタを設定することと、
前記パラメタに応じて、前記文字情報の表示態様を制御することと、
を実行させる、プログラム。
【発明の詳細な説明】
【技術分野】
【０００１】
本開示は、情報処理装置、情報処理方法、及びプログラムに関する。
【背景技術】
【０００２】
パーソナルコンピュータ（ＰＣ）、スマートフォン、楽曲や動画等のコンテンツを再生するためのプレイヤー等のような各種装置を操作するためのユーザインタフェースは多様化してきている。特に、近年では、タッチパネル等を適用することで、情報の提示とユーザ操作の受け付けとを連動させることが可能な操作デバイスも普及してきており、当該操作デバイスを利用することで、より直感的な操作を実現可能なユーザインタフェースの検討も行われている。例えば、特許文献１には、情報の提示方法の一例が開示されている。
【先行技術文献】
【特許文献】
【０００３】
【特許文献１】特開２０１４−１９１１９３号公報
【発明の概要】
【発明が解決しようとする課題】
【０００４】
一方で、操作可能なパラメタや提示される情報が増えるほど、ユーザインタフェースとして提供される表示情報は煩雑になる傾向にあり、表示情報が煩雑になるほど直感的な操作が阻害されるため、当該操作をより複雑化する場合がある。特に、近年では、スマートフォンや携帯型のプレイヤー等のような携行可能な装置の小型化に伴い、当該装置のユーザインタフェースもより小型化される傾向にある。このような小型の装置では、ユーザインタフェースとして提供される表示情報が煩雑になるほど、当該ユーザインタフェースに対する操作もより煩雑になる傾向にある。
【０００５】
そこで、本開示では、提示される情報の煩雑化を抑制し、より直感的なユーザインタフェースを実現可能な、情報処理装置、情報処理方法、及びプログラムを提案する。
【課題を解決するための手段】
【０００６】
本開示によれば、コンテンツに関連する文字情報が提示された表示領域に対する操作に基づき、当該コンテンツに関する所定のパラメタを設定する制御部を備え、前記制御部は、前記パラメタに応じて、前記文字情報の表示態様を制御する、情報処理装置が提供される。
【０００７】
プロセッサが、コンテンツに関連する文字情報が提示された表示領域に対する操作に基づき、当該コンテンツに関する所定のパラメタを設定することと、前記パラメタに応じて、前記文字情報の表示態様を制御することと、を含む、情報処理方法が提供される。
【０００８】
また、本開示によれば、コンピュータに、コンテンツに関連する文字情報が提示された表示領域に対する操作に基づき、当該コンテンツに関する所定のパラメタを設定することと、前記パラメタに応じて、前記文字情報の表示態様を制御することと、を実行させる、プログラムが提供される。
【発明の効果】
【０００９】
以上説明したように本開示によれば、提示される情報の煩雑化を抑制し、より直感的なユーザインタフェースを実現可能な、情報処理装置、情報処理方法、及びプログラムが提供される。
【００１０】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】比較例１に係るユーザインタフェースの一例について説明するための説明図である。
【図２】比較例２に係るユーザインタフェースの一例について説明するための説明図である。
【図３】本開示の一実施形態に係る情報処理装置のユーザインタフェースの一例について説明するための説明図である。
【図４】同実施形態に係る情報処理装置のユーザインタフェースの一例について説明するための説明図である。
【図５】同実施形態に係る情報処理装置のユーザインタフェースの他の一例について説明するための説明図である。
【図６】同実施形態に係るユーザインタフェースを適用例について説明するための説明図である。
【図７】同実施形態に係る情報処理装置の機能構成の一例について示したブロック図である。
【図８】同実施形態に係る情報処理装置の一連の動作の流れの一例について示したフローチャートである。
【図９】変形例１に係るユーザインタフェースの一例について説明するための説明図である。
【図１０】変形例１に係るユーザインタフェースの一例について説明するための説明図である。
【図１１】変形例１に係るユーザインタフェースの一例について説明するための説明図である。
【図１２】変形例１に係るユーザインタフェースの一例について説明するための説明図である。
【図１３】変形例１に係るユーザインタフェースの一例について説明するための説明図である。
【図１４】変形例２に係るユーザインタフェースの一例について説明するための説明図である。
【図１５】変形例３に係るユーザインタフェースの一例について説明するための説明図である。
【図１６】変形例３に係るユーザインタフェースの一例について説明するための説明図である。
【図１７】変形例３に係るユーザインタフェースの一例について説明するための説明図である。
【図１８】変形例３に係るユーザインタフェースの一例について説明するための説明図である。
【図１９】変形例４に係るユーザインタフェースの一例について説明するための説明図である。
【図２０】変形例４に係るユーザインタフェースの一例について説明するための説明図である。
【図２１】変形例４に係るユーザインタフェースの一例について説明するための説明図である。
【図２２】変形例４に係るユーザインタフェースの一例について説明するための説明図である。
【図２３】同実施形態に係る情報処理装置のハードウェア構成の一例を示した図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．概要
１．１．比較例に係るユーザインタフェース
１．２．本実施形態に係る情報処理装置のユーザインタフェース
２．機能構成
３．処理
４．変形例
４．１．変形例１：表示幅の制御例
４．２．変形例２：表示態様の制御例１
４．３．変形例３：表示態様の制御例２
４．４．変形例４：表示態様の制御例３
５．ハードウェア構成
６．まとめ
【００１４】
＜１．概要＞
［１．１．比較例に係るユーザインタフェース］
パーソナルコンピュータ（ＰＣ）、スマートフォン、楽曲や動画等のコンテンツを再生するためのプレイヤー等のような各種装置を操作するためのユーザインタフェースは多様化してきている。特に、近年では、タッチパネル等を適用することで、情報の提示とユーザ操作の受け付けとを連動させることが可能な操作デバイスも普及してきており、当該操作デバイスを利用することで、より直感的な操作を実現可能なユーザインタフェースの検討も行われている。
【００１５】
このような状況を鑑みて、本開示の一実施形態に係る情報処理装置は、操作画面が簡素化された、より直感的な操作インタフェースを提供することを目的としている。そこで、本実施形態に係る情報処理装置の特徴をよりわかりやすくするために、まず、比較例として、ユーザインタフェースの一例について説明したうえで、本実施形態に係る情報処理装置の課題について整理する。
【００１６】
例えば、図１は、比較例１に係るユーザインタフェースの一例を示しており、所謂楽曲や動画等のコンテンツを再生するためのプレイヤーを操作するためのユーザインタフェースの一例である。図１に示すように、ユーザインタフェースｖ８０は、表示領域ｖ８１と、再生位置制御スライダーｖ８３と、音量調整スライダーｖ８５とを含む。
【００１７】
表示領域ｖ８１は、再生されるコンテンツのタイトルや、アーティスト名、アルバム名等のような、当該コンテンツに関する情報を提示するための領域である。
【００１８】
再生位置制御スライダーｖ８３は、ユーザがコンテンツの再生位置（即ち、時系列上の位置）を調整するための入力インタフェースである。ユーザインタフェースｖ８０では、ユーザの指やマウスのポインタ等のような操作体ｕ１１により、再生位置制御スライダーｖ８３のバー上に提示されたつまみが、当該バーが延伸する方向に沿ってスライドされると、バー上におけるつまみの位置に応じて、コンテンツの再生位置が調整される。このような構成により、ユーザは、再生位置制御スライダーｖ８３のバー上のつまみの位置に基づき、コンテンツの再生位置を直感的に認識でき、かつ、当該つまみの操作に基づき再生位置を所望の値に調整することが可能となる。
【００１９】
また、音量調整スライダーｖ８５は、ユーザがコンテンツの音量を調整するための入力インタフェースである。ユーザインタフェースｖ８０では、操作体ｕ１１により、音量調整スライダーｖ８５のバー上に提示されたつまみが、当該バーが延伸する方向に沿ってスライドされると、バー上におけるつまみの位置に応じて、コンテンツの音量が調整される。このような構成により、ユーザは、音量調整スライダーｖ８５のバー上のつまみの位置に基づき、コンテンツの音量を直感的に認識でき、かつ、当該つまみの操作に基づき音量を所望の値に調整することが可能となる。
【００２０】
このように、図１に示す比較例１に係るユーザインタフェース８０では、操作画面等のような表示領域中に、コンテンツに関連する情報と、再生位置及び音量の各パラメタを調整するための操作インタフェースとのそれぞれが、領域を分けて提示されている。
【００２１】
一方で、操作可能なパラメタや提示される情報が増えるほど、ユーザインタフェースとして提供される表示情報は煩雑になる傾向にあり、表示情報が煩雑になるほど直感的な操作が阻害されるため、当該操作をより複雑化する場合がある。特に、近年では、スマートフォンや携帯型のプレイヤー等のような携行可能な装置の小型化に伴い、当該装置のユーザインタフェースもより小型化される傾向にある。このような小型の装置では、ユーザインタフェースとして提供される表示情報が煩雑になるほど、当該ユーザインタフェースに対する操作もより煩雑になる傾向にある。
【００２２】
例えば、図１に示す比較例１に係るユーザインタフェース８０では、表示領域ｖ８１と、再生位置制御スライダーｖ８３と、音量調整スライダーｖ８５とのそれぞれが、操作画面等の表示領域中の互いに異なる領域に表示されている。そのため、ユーザインタフェース８０では、表示領域ｖ８１と、再生位置制御スライダーｖ８３と、音量調整スライダーｖ８５とのうち、いずれかが占める領域の広さに応じて、他の領域が占める広さが制限されることとなる。
【００２３】
具体的には、図１に示すユーザインタフェース８０では、例えば、表示領域ｖ８１が占める領域により、再生位置制御スライダーｖ８３や音量調整スライダーｖ８５が提示される領域（即ち、ユーザからの操作を受け付ける領域）が圧迫される場合がある。同様に、ユーザインタフェース８０では、再生位置制御スライダーｖ８３の提示により、音量調整スライダーｖ８５が提示される領域（例えば、図１の横方向に沿った領域）が圧迫される場合がある。
【００２４】
また、図１に示す比較例１に係るユーザインタフェース８０では、操作画面等の表示領域全体が小さくなると、再生位置制御スライダーｖ８３と、音量調整スライダーｖ８５とのそれぞれが占める領域も相対的に小さくなる。そのため、ユーザは、再生位置制御スライダーｖ８３や音量調整スライダーｖ８５の操作による、再生位置や音量の細かい調整が困難となる場合がある。
【００２５】
また、図２は、比較例２に係るユーザインタフェースの一例を示しており、所謂楽曲や動画等のコンテンツを再生するためのプレイヤーを操作するためのユーザインタフェースの他の一例である。
【００２６】
図２に示すユーザインタフェースｖ９０では、操作画面等の表示領域中の所定の方向（例えば、横方向）をコンテンツの再生位置に対応付けて、再生位置に応じた音量の変化を示す表示情報ｖ９３１を提示している。
【００２７】
また、ユーザインタフェースｖ９０では、現在の再生位置を基準として、再生済みの領域に含まれる表示情報ｖ９３１と、未再生の領域に含まれる表示情報ｖ９３１とが異なる色で提示されることで、現在の再生位置がユーザに提示されている。
【００２８】
また、表示情報ｖ９３１が提示された領域ｖ９３に対して、操作体ｕ１１により再生位置の変化方向に沿った操作がなされると、当該操作に基づき指定された、再生位置の変化方向に沿った位置に応じて、コンテンツの再生位置が調整される。
【００２９】
このような構成により、ユーザは、再生位置に応じた音量の変化と、現在の再生位置とを表示情報ｖ９３１に基づき視覚的に認識でき、かつ、領域ｖ９３に対する直感的な操作により、再生位置を所望の値に調整することが可能となる。
【００３０】
一方で、図２に示したユーザインタフェースｖ９０においても、再生されるコンテンツのタイトルや、アーティスト名、アルバム名等のような、当該コンテンツに関する情報を、領域ｖ９３に提示された入力インタフェースとは別に提示する必要がある。
【００３１】
本実施形態に係る情報処理装置は、上記に示した課題を鑑みてなされたものであり、提示される情報の煩雑化を抑制することで、より直感的なユーザインタフェースの実現を可能とすることを目的としている。
【００３２】
［１．２．本実施形態に係る情報処理装置のユーザインタフェース］
ここで、図３及び図４を参照して、本実施形態に係る情報処理装置のユーザインタフェースの概要について説明する。図３及び図４は、本実施形態に係る情報処理装置のユーザインタフェースの一例について説明するための説明図である。なお、以降では、本実施形態に係る情報処理装置を、「情報処理装置１」と称する場合がある。
【００３３】
図３に示すように、本実施形態に係るユーザインタフェースｖ１０では、再生されるコンテンツに関する文字情報（例えば、タイトル等）の表示態様が制御されることで、当該表示態様の変化により、当該コンテンツの再生位置と、当該コンテンツの音量とが視覚的に提示される。
【００３４】
具体的には、図３に示す例では、ユーザインタフェースｖ１０が提示される操作画面中の横方向の位置が、コンテンツの再生位置に対応付けられ、現在の再生位置が、当該横方向に向けた表示態様の変化として提示されている。具体的には、図３に示すユーザインタフェースｖ１０では、コンテンツに関する文字情報が占める領域中が、現在の再生位置を基準として、再生済みの領域と、未再生の領域とが異なる色で提示される。これにより、ユーザは、横方向に向けた色の変化に基づき、現在の再生位置を視覚的に認識することが可能となる。
【００３５】
また、図３に示す例では、ユーザインタフェースｖ１０が提示される操作画面中の縦方向の位置が、コンテンツの音量に対応付けられ、音量の変化が、当該縦方向に向けた表示態様の変化として提示されている。具体的には、図３に示すユーザインタフェースｖ１０では、コンテンツに関する文字情報が占める領域中に、スペクトラムアナライザ等のような音量を視覚的に示す表示情報が重畳表示される。これにより、ユーザは、縦方向に向けて変化する表示情報に基づき、音量の変化を視覚的に認識することが可能となる。
【００３６】
即ち、本実施形態に係るユーザインタフェースｖ１０では、コンテンツに関する文字情報の表示態様が、再生位置や音量等の各種パラメタの設定値に応じて制御されることで、ユーザに対して、当該パラメタの設定値が視覚的に提示される。また、このとき、再生位置と音量とのようにパラメタごとに、互いに異なる方向に向けて、コンテンツに関する文字情報の表示態様が変化するように制御されている。これにより、ユーザは、再生位置と音量とのような複数のパラメタそれぞれの設定値を、それぞれのパラメタに対応する方向に向けた表示態様の変化に基づき、直感的に認識することが可能となる。
【００３７】
また、図３に示すユーザインタフェースｖ１０では、各パラメタの設定値に応じて文字情報の表示態様が変化する方向と、指やマウスのポインタ等のような操作体ｕ１１による、当該文字情報が提示された領域に対する操作とが対応付けられている。
【００３８】
例えば、ユーザインタフェースｖ１０では、操作体ｕ１１により横方向に向けた操作（例えば、ドラッグ操作）が行われると、当該操作の結果として指定された横方向の位置や、横方向に向けて操作が行われた距離に応じて、コンテンツの再生位置が調整される。そして、ユーザインタフェースｖ１０では、コンテンツの再生位置の調整（即ち、再生位置の設定値の更新）に伴い、調整後の再生位置に応じて、文字情報の横方向に向けた表示態様が更新される。例えば、図３に示す例の場合には、再生位置の変化に伴い、再生済みの領域と、未再生の領域との境界が変化するため、異なる色で提示された領域の境界もあわせて変化することとなる。
【００３９】
同様に、ユーザインタフェースｖ１０では、操作体ｕ１１により縦方向に向けた操作（例えば、ドラッグ操作）が行われると、当該操作の結果として指定された縦方向の位置や、縦方向に向けて操作が行われた距離に応じて、コンテンツの音量が調整される。そして、ユーザインタフェースｖ１０では、コンテンツの音量の調整（即ち、音量の設定値の更新）に伴い、調整後の音量に応じて、文字情報の縦方向に向けた表示態様が更新される。
【００４０】
ここで、図４を参照して、本実施形態に係る情報処理装置１が、図３に示したユーザインタフェースｖ１０を形成するための仕組みの一例について説明する。図４において、参照符号ｖ１１は、コンテンツに関する情報を文字情報として提示するためレイヤ（以降では、「第１レイヤ」と称する場合がある）を示している。また、参照符号ｖ１３は、コンテンツの再生位置を視覚的に示した表示情報を提示するためレイヤ（以降では、「第２レイヤ」と称する場合がある）を示している。また、参照符号ｖ１５は、コンテンツの音量の変化を示した表示情報を提示するためレイヤ（以降では、「第３レイヤ」と称する場合がある）を示している。
【００４１】
即ち、本実施形態に係る情報処理装置１は、コンテンツに関する文字情報が提示された第１レイヤｖ１１に対して、再生位置が提示された第２レイヤｖ１３と、音量が提示された第３レイヤｖ１５とを重畳表示することで、ユーザインタフェースｖ１０を形成している。
【００４２】
また、情報処理装置１は、ユーザインタフェースｖ１０に対する横方向に向けた操作（即ち、再生位置を調整するための操作）を受け付けた場合には、当該操作の内容に応じて、コンテンツの再生位置を調整する。そして、情報処理装置１は、調整後の再生位置の設定値に応じて第２レイヤｖ１３の表示態様を制御する（即ち、横方向に向けて制御する）ことで、ユーザに対して、調整後の再生位置の設定値を、横方向に向けた表示態様の変化として視覚的に提示する。
【００４３】
同様に、情報処理装置１は、ユーザインタフェースｖ１０に対する縦方向に向けた操作（即ち、音量を調整するための操作）を受け付けた場合には、当該操作の内容に応じて、コンテンツの音量を調整する。そして、情報処理装置１は、調整後の音量の設定値に応じて第３レイヤｖ１５の表示態様を制御する（即ち、縦方向に向けて制御する）ことで、ユーザに対して、調整後の再生位置の設定値を、縦方向に向けた表示態様の変化として視覚的に提示する。
【００４４】
以上のような制御により、本実施形態に係る情報処理装置１は、図３に示すようなユーザインタフェースｖ１０を提示することが可能となる。なお、上記に図４を参照して説明した制御の例はあくまで一例であり、図３に示すようなユーザインタフェースｖ１０を実現可能であれば、その実現方法（例えば、制御内容）は特に限定されないことは言うまでもない。
【００４５】
なお、上記に示す例では、横方向に対して再生位置を示すパラメタが対応付けられ、縦方向に対して音量を示すパラメタが対応付けられている例について説明したが、必ずしも同構成に限定されないことは言うまでもない。即ち、縦方向に対して再生位置を示すパラメタが対応付けられ、横方向に対して音量を示すパラメタが対応付けられていてもよい。また、各パラメタと各方向との対応付けは、情報処理装置１の状態（例えば、縦向き及び横向きのいずれで使用されるか等）に応じて動的に切り替えられてもよい。
【００４６】
また、ユーザインタフェースｖ１０への提示対象となるパラメタは、再生位置や音量に限定されないことは言うまでもなく、ユーザインタフェースｖ１０が適用される機能についても、楽曲や映像を再生するための機能には限定されない。
【００４７】
また、図３及び図４を参照して説明した例では、文字情報の表示態様の変化として設定値が提示される各パラメタについて、対応する方向に向けた操作により、当該パラメタの設定値を更新可能とする例について説明した。一方で、情報処理装置１は、ユーザインタフェースｖ１０への操作を受け付けずに、当該ユーザインタフェースｖ１０による情報の提示のみを行ってもよい。また、情報処理装置１は、一部のパラメタ（例えば、再生位置）についてのみ操作を受け付け、他のパラメタ（例えば、音量）については操作が受け付けないように動作してもよい。
【００４８】
また、図３及び図４を参照して説明した例では、再生位置と音量とのように複数のパラメタの設定値を視覚的に提示し、当該パラメタの設定値を更新可能とする例について説明したが、必ずしも同態様に限定されるものではない。具体的な一例として、本実施形態に係る情報処理装置１は、１つのパラメタのみを対象として提示したユーザインタフェースｖ１０を形成してもよい。
【００４９】
例えば、図５は、本実施形態に係る情報処理装置１のユーザインタフェースの他の一例について説明するための説明図である。図５に示す例では、情報処理装置１は、再生位置の設定値のみを対象として、コンテンツに関する文字情報の表示態様が制御されるように、ユーザインタフェースｖ１０ａを形成してユーザに提示している。
【００５０】
即ち、図５に示す例では、情報処理装置１は、図４に示した第１レイヤｖ１１〜第３レイヤｖ１５のうち、第１レイヤｖ１１及び第２レイヤｖ１３に基づき、ユーザインタフェースｖ１０ａを形成している。なお、図５に示す例の場合には、情報処理装置１は、ユーザインタフェースｖ１０ａに対する横方向に向けた操作に基づき、再生位置の設定値を更新し、更新後の設定値に応じて、第２レイヤｖ１３の表示態様（即ち、横方向に向けた表示態様）を制御すればよい。
【００５１】
また、情報処理装置１は、各パラメタに対して互いに異なる方向（即ち、表示態様の変化方向及び操作方向）が対応付けられていれば、３以上のパラメタを対象として、当該パラメタの設定値を視覚的に提示し、当該パラメタの設定値を更新可能としてもよい。
【００５２】
ここで、図６を参照して、本実施形態に係るユーザインタフェースｖ１０を適用可能な機能（アプリケーション）の例と、当該アプリケーションごとに、第１レイヤｖ１１〜第３レイヤｖ１５のそれぞれに対応する提示情報及びインタラクション（操作に応じた制御）の一例について説明する。図６は、本実施形態に係るユーザインタフェースｖ１０を適用例について説明するための説明図である。
【００５３】
例えば、音楽再生のアプリケーションについては、曲名を示す文字情報を第１のレイヤｖ１１への提示対象とし、当該文字情報の表示態様が、経過時間（即ち、再生位置）や音量等のような各種パラメタの設定値に応じて制御されればよい。この場合には、第２レイヤｖ１３には、例えば、提示情報として経過時間が対応付けられ、インタラクションとして再生位置の変更が対応付けられる。また、第３レイヤｖ１５には、例えば、提示情報として音量が対応付けられ、インタラクションとして音量の変更が対応付けられる。
【００５４】
また、動画再生のアプリケーションについては、タイトル名を示す文字情報を第１のレイヤｖ１１への提示対象とし、当該文字情報の表示態様が、各種パラメタの設定値に応じて制御されればよい。この場合には、第２レイヤｖ１３には、例えば、提示情報として経過時間が対応付けられ、インタラクションとして再生位置の変更が対応付けられる。また、第３レイヤｖ１５には、例えば、提示情報として音量が対応付けられ、インタラクションとして音量の変更が対応付けられる。また、第３レイヤｖ１５には、例えば、シーンの盛り上がりを示す情報が対応付けられていてもよい。なお、この場合には、第３レイヤｖ１５に対してインタラクションが関連付けられていなくてもよい。また、第３レイヤｖ１５には、例えば、提示情報としてコメント数が対応付けられ、インタラクションとしてコメントの同時表示数の変更が対応付けられていてもよい。
【００５５】
また、本実施形態に係るユーザインタフェースｖ１０を、電子書籍のアプリケーションのユーザインタフェースとして適用してもよい。即ち、電子書籍のアプリケーションについては、例えば、書籍名を示す文字情報を第１のレイヤｖ１１への提示対象とし、当該文字情報の表示態様が、各種パラメタの設定値に応じて制御されればよい。この場合には、第２レイヤｖ１３には、例えば、提示情報として書籍中の現在位置（例えば、ページ、行、桁等）が対応付けられ、インタラクションとして当該現在位置の変更が対応付けられる。また、第３レイヤｖ１５には、例えば、書籍中に設定されたハイライト数を示す情報が対応付けられていてもよい。なお、この場合には、第３レイヤｖ１５に対してインタラクションが関連付けられていなくてもよい。
【００５６】
また、本実施形態に係るユーザインタフェースｖ１０を、各種データのダウンロードを実行するための所謂ダウンローダのユーザインタフェースとして適用してもよい。即ち、ダウンローダについては、例えば、ファイル名を示す文字情報を第１のレイヤｖ１１への提示対象とし、当該文字情報の表示態様が、各種パラメタの設定値に応じて制御されればよい。この場合には、第２レイヤｖ１３には、例えば、提示情報として経過時間が対応付けられていてもよい。なお、この場合には、第２レイヤｖ１３に対してインタラクションが関連付けられていなくてもよい。また、第３レイヤｖ１５には、例えば、転送速度を示す情報が対応付けられていてもよい。なお、この場合には、第３レイヤｖ１５に対してインタラクションが関連付けられていなくてもよい。
【００５７】
また、情報処理装置１は、各種パラメタの設定値に応じた文字情報の表示態様の変化方向を、当該文字情報として使用される言語に応じて切り替えてもよい。具体的な一例として、情報処理装置１は、文字情報として使用される言語に応じた文字が書き進められる書字方向に応じて、当該文字情報の表示態様の変化方向を決定してもよい。
【００５８】
より具体的な例について、情報処理装置１が、再生位置の設定値に応じて文字情報の表示態様を横方向に向けて変化させる制御に着目して説明する。例えば、情報処理装置１は、英語のように書字方向が左から右となる言語が使用されている場合には、再生位置の設定値に応じて、時系列に沿って左から右に向けて文字情報の表示態様が変化するように制御してもよい。これに対して、情報処理装置１は、アラビア語のように書字方向が右から左となる言語が使用されている場合については、再生位置の設定値に応じて、時系列に沿って右から左に向けて文字情報の表示態様が変化するように制御してもよい。
【００５９】
もちろん、情報処理装置１は、使用言語が変更された場合には、変更後の使用言語の書字方向に応じて、文字情報の表示態様の変化方向を動的に切り替えてもよい。
【００６０】
以上、図３〜図６を参照して、本実施形態に係る情報処理装置１のユーザインタフェースｖ１０の概要について説明した。
【００６１】
＜２．機能構成＞
次に、図７を参照して、本実施形態に係る情報処理装置１の機能構成の一例について説明する。図７は、本実施形態に係る情報処理装置１の機能構成の一例について示したブロック図である。
【００６２】
図７に示すように、本実施位形態に係る情報処理装置１は、制御部１０と、入力部２１と、出力部２３と、記憶部３０とを含む。また、制御部１０は、入力解析部１１と、処理実行部１３と、出力制御部１５とを含む。
【００６３】
出力部２３は、情報処理装置１がユーザに対して情報を提示するための出力インタフェースである。出力部２３は、例えば、液晶ディスプレイ（ＬＣＤ：Liquid  Crystal  Display）装置、有機ＥＬ（ＯＬＥＤ：Organic  Light  Emitting  Diode）ディスプレイなどのように、提示対象となる情報を表示情報としてユーザに提示するためのデバイスとして構成され得る。また、出力部２３は、所謂プロジェクタ等のように、提示対象となる情報を表示情報として所定の領域に投影することで、当該表示情報をユーザに提示するためのデバイスとして構成されていてもよい。出力部２３は、制御部１０からの制御に基づき、提示対象となる情報を、所定の態様でユーザに提示する。
【００６４】
入力部２１は、ユーザが情報処理装置１に対して所望の操作を行うための入力インタフェースである。入力部２１は、例えば、タッチパネルや、マウス等のポインティングデバイスのように、出力部２３に提示された表示情報を指定するためのデバイスとして構成され得る。
【００６５】
もちろん、出力部２３に提示された情報を指定することが可能であれば、入力部２１の構成は特に限定されない。具体的な一例として、入力部２１は、ユーザが指さし等の所定の動作により、出力部２３に提示された表示情報を指定するためのデバイスとして構成されていてもよい。この場合には、入力部２１は、例えば、撮像部や各種センサにより、ユーザの動作を認識すればよい。また、入力部２１は、ユーザが視線により、出力部２３に提示された表示情報を指定するためのデバイスとして構成されていてもよい。この場合には、入力部２１は、例えば、入力部２１は、例えば、撮像部や各種センサにより、ユーザの視線を認識すればよい。なお、この場合には、認識した視線の方向と出力部２３に提示された表示情報との間の位置関係に基づき、ユーザが指定している表示情報が特定されればよい。また、入力部２１は、ボタンやスイッチなどのように、所定の機能が割り当てられた入力デバイスを含んでもよい。
【００６６】
入力部２１は、ユーザからの入力操作を受けて、当該操作内容を示す制御情報を制御部１０に出力する。
【００６７】
記憶部３０は、各種アプリケーションを実行するためのデータ（例えば、ライブラリ）や、楽曲や映像等のコンテンツのデータ等を記憶するための構成である。なお、後述する制御部１０が、記憶部３０に記憶されたデータを読み出し可能であれば、記憶部３０は、情報処理装置１に内蔵されていてもよいし、当該情報処理装置１の外部（例えば、サーバ等のようにネットワークを介して接続された外部装置）に設けられていてもよい。また、記憶部３０は、情報処理装置１に対して挿脱可能に構成された記憶デバイスであってもよい。
【００６８】
入力解析部１１は、入力部２１から、操作内容を示す制御情報を取得する。入力解析部１１は、入力部２１から取得した制御情報に基づき、ユーザによる入力操作の内容を認識する。なお、認識される操作の内容としては、例えば、ドラッグ操作やタップ操作等のような操作の種別や、当該操作が行われた操作画面中の位置や範囲等が挙げられる。
【００６９】
なお、このとき入力解析部１１は、後述する出力制御部１５から、各種情報が表示される表示領域中（例えば、画面中）の各コンテンツ（例えば、図３に示したユーザインタフェースｖ１０）の位置を示す位置情報を取得してもよい。これにより、入力解析部１１は、ユーザによる入力操作の対象となるオブジェクトを認識することが可能となる。
【００７０】
そして、入力解析部１１は、ユーザによる入力操作の内容の認識結果を示す制御情報を、処理実行部１３に出力する。
【００７１】
処理実行部１３は、各種機能（例えば、アプリケーション）を実行するための構成である。処理実行部１３は、入力解析部１１から、ユーザによる入力操作の内容の認識結果を示す制御情報を取得し、取得した制御情報に基づき（即ち、認識された入力操作の内容に基づき）実行する機能を特定する。
【００７２】
例えば、処理実行部１３は、認識された入力操作の内容に基づき、各種機能（例えば、楽曲や映像を再生するためのプレイヤー等のアプリケーション）の実行が指示されたことを認識したものとする。この場合には、処理実行部１３は、該当する機能を実行するためのデータ（例えば、ライブラリやコンテンツ）を、所定の記憶部（例えば、記憶部３０）から読み出し、読み出した当該データに基づき当該機能を実行する。
【００７３】
より具体的な一例として、処理実行部１３は、認識された入力操作の内容に基づき、楽曲や映像等のコンテンツの再生が指示されたことを認識したものとする。この場合には、処理実行部１３は、再生が指示されたコンテンツのデータと、当該コンテンツを再生するためのアプリケーションのデータとを、所定の記憶部から読み出し、読み出した当該データに基づきアプリケーションを実行することで当該コンテンツを再生する。
【００７４】
また、処理実行部１３は、認識された入力操作の内容に基づき、実行中の機能に対する操作がなされたことを認識したものとする。この場合には、処理実行部１３は、認識された入力操作の内容に基づき、対象となる機能を特定し、当該機能の動作を制御する。
【００７５】
ここで、より具体的な一例として、楽曲を再生するアプリケーションが図３に示すユーザインタフェースｖ１０を提供し、かつ、当該ユーザインタフェースｖ１０が操作対象となった場合を例に説明する。
【００７６】
例えば、処理実行部１３は、ユーザインタフェースｖ１０に対する操作が、縦方向に向けた操作であるものと認識した場合には、当該操作の内容（例えば、操作対象の位置や操作された距離等）に応じて、楽曲再生の機能の動作を制御することで、再生中のコンテンツの音量を調整する。
【００７７】
また、処理実行部１３は、ユーザインタフェースｖ１０に対する操作が、横方向に向けた操作であるものと認識した場合には、当該操作の内容に応じて、楽曲再生の機能の動作を制御することで、再生中のコンテンツの再生位置を調整する。
【００７８】
そして、処理実行部１３は、機能の実行結果を示す情報を後述する出力制御部１５に出力する。これにより、出力制御部１５は、当該実行結果に応じた情報を、出力部２３を介してユーザに提示することが可能となる。より具体的な一例として、出力制御部１５は、処理実行部１３から出力される実行結果に基づき、実行中の機能の状態に応じて（例えば、各種パラメタの設定値に応じて）、図３を参照して説明したユーザインタフェースｖ１０の生成及び更新を行うことが可能となる。
【００７９】
なお、処理実行部１３は、ユーザからの操作の有無に関わらず、実行中の機能の状態が変化した場合（例えば、パラメタの設定値が更新された場合）に、当該機能の状態を示す情報を出力制御部１５に出力してもよい。
【００８０】
より具体的な一例として、処理実行部１３は、楽曲再生の機能が実行されており、時間の経過と共にコンテンツの再生位置が更新された場合には、更新後の再生位置を示す情報を、出力制御部１５に出力してもよい。これにより、出力制御部１５は、例えば、コンテンツの再生位置の変化を監視し、再生位置の変化に応じて、対応するユーザインタフェースに提示された当該再生位置を示す情報を逐次更新することが可能となる。
【００８１】
出力制御部１５は、ユーザに対して各種情報を提示するために、出力部２３の動作を制御するための構成である。出力制御部１５は、処理実行部１３から各種機能の実行結果を示す情報を取得し、当該情報に基づきユーザに対して提示する表示情報を生成する。
【００８２】
例えば、出力制御部１５は、処理実行部１３が所定の機能を実行した場合には、処理実行部１３から当該機能に関する情報を取得し、取得した情報に基づき、当該機能に対応するユーザインタフェース（例えば、図３に示したユーザインタフェースｖ１０）を生成してもよい。なお、このとき出力制御部１５は、実行された機能の実行状況を示す情報（例えば、各種パラメタの設定値）を処理実行部１３から取得し、取得した情報に基づき、生成したユーザインタフェース上に、当該機能の実行状況を示す情報を提示してもよい。
【００８３】
そして、出力制御部１５は、生成したユーザインタフェースを示す表示情報（例えば、表示オブジェクト）を、出力部２３を介してユーザに提示する。なお、このとき出力制御部１５は、ユーザインタフェースの表示に係る制御情報（例えば、画面上におけるユーザインタフェースの位置や大きさ等）を、入力解析部１１に出力してもよい。これにより、入力解析部１１は、画面上における当該ユーザインタフェースの位置や大きさを認識することが可能となる。
【００８４】
また、出力制御部１５は、処理実行部１３から、既に実行中の機能の制御結果（例えば、再生位置の調整結果や音量の調整結果等）を示す情報を取得してもよい。この場合には、出力制御部１５は、取得した情報に基づき、対象となる機能に対応するユーザインタフェースを更新してもよい。
【００８５】
具体的な一例として、図３に示す例の場合には、出力制御部１５は、再生位置の調整結果を示す情報を処理実行部１３から取得し、取得した情報に基づき、ユーザインタフェースｖ１０上に提示された文字情報の横方向に向けた表示態様の変化を制御する。
【００８６】
なお、出力制御部１５による、実行中の機能の制御結果に基づく、対応するユーザインタフェースの更新に係る動作については、ユーザからの操作の有無に関わらず実行されてもよい。
【００８７】
具体的には、楽曲再生の機能が実行されている場合において、出力制御部１５は、時間の経過と共に更新されるコンテンツの再生位置の更新結果を示す情報を処理実行部１３から逐次取得することで、当該再生位置の変化を監視してもよい。この場合には、出力制御部１５は、再生位置の変化の監視結果に基づき、対応するユーザインタフェースに提示された再生位置を示す情報を更新してもよい。
【００８８】
なお、出力制御部１５が、ユーザ対して提示する情報（例えば、ユーザインタフェースｖ１０や各種表示情報）を生成するためのデータについては、当該出力制御部１５が取得可能であれば、管理または記憶される位置は特に限定されない。例えば、出力制御部１５は、記憶部３０に記憶されたユーザインタフェースｖ１０を生成するためのデータを、処理実行部１３を介して取得してもよい。
【００８９】
以上、図７を参照して、本実施形態に係る情報処理装置１の機能構成の一例について説明した。以上のような構成により、情報処理装置１は、ユーザからの入力操作に基づき、当該ユーザから指示された各種機能を実行し、当該機能の実行結果に応じた情報を提示することが可能となる。
【００９０】
なお、上記に説明した機能構成はあくまで一例であり、必ずしも同構成に限定するものではない。具体的な一例として、制御部１０の各構成のうち、一部の構成が、情報処理装置１とは異なる外部装置（例えば、サーバ）に設けられていてもよい。また、他の一例として、記憶部３０が、情報処理装置１とは異なる外部装置（例えば、サーバ）に設けられていてもよい。この場合には、制御部１０は、ネットワーク介して外部装置にアクセスすることで、記憶部３０に記憶された各種情報を、当該外部装置から取得すればよい。なお、この場合には、情報処理装置１に、ネットワークを介して外部装置にアクセスするための通信部を設けてもよい。
【００９１】
また、上記に説明した各種機能が実現可能であれば、情報処理装置１の種別や形態は特に限定されず、当該種別や形態に応じて、機能や構成が追加されていてもよい。
【００９２】
また、上記に説明した機能構成が実現されれば、情報処理装置１の種別や利用形態についても特に限定されない。具体的な一例として、情報処理装置１は、所謂スマートフォン、タブレット端末、及びウェアラブル端末等のように、ユーザが携行可能に構成されていてもよい。また、情報処理装置１は、所謂パーソナルコンピュータ等の情報機器、音楽や映像を再生するための所謂プレイヤー、及び、テレビ受像機等のような各種家電機器として構成されていてもよい。
【００９３】
＜３．処理＞
次に、図８を参照して、本実施形態に係る情報処理装置１の一連の動作の流れの一例について、楽曲や映像等のコンテンツを再生する機能が、ユーザからの操作に基づき実行され、図３に示すユーザインタフェースｖ１０が提示される場合を例に説明する。図８は、本実施形態に係る情報処理装置１の一連の動作の流れの一例について示したフローチャートである。
【００９４】
（ステップＳ１０１）
まず、情報処理装置１は、ユーザからの入力操作に基づき、楽曲や映像等のコンテンツの再生が指示されたことを認識すると、当該コンテンツを再生するためのデータを読み出し、当該データに基づき再生機能を実行することで、当該コンテンツの再生を開始する。
【００９５】
具体的には、情報処理装置１の処理実行部１３は、入力解析部１１によるユーザからの入力操作の認識結果に基づき、再生が指示されたコンテンツのデータと、当該コンテンツを再生するためのアプリケーションのデータとを、所定の記憶部から読み出す。そして、処理実行部１３は、読み出した当該データに基づきアプリケーションを実行することで当該コンテンツを再生する。
【００９６】
また、処理実行部１３は、コンテンツを再生するためのアプリケーションの実行結果を示す情報を、出力制御部１５に出力する。出力制御部１５は、処理実行部１３から実行されたアプリケーションに関する情報を取得し、取得した情報に基づき、当該アプリケーションに対応するユーザインタフェースｖ１０を生成する。そして、出力制御部１５は、生成したユーザインタフェースｖ１０を示す表示情報（例えば、表示オブジェクト）を、出力部２３を介してユーザに提示する。
【００９７】
（ステップＳ１０３）
次いで、処理実行部１３は、実行中のアプリケーションの動作を制御することで、当該アプリケーションの各種パラメタのうち、所定のパラメタ（換言すると、コンテンツの再生状態を示すパラメタ）の設定値を取得する。具体的な一例として、処理実行部１３は、コンテンツを再生するためのアプリケーションから、当該コンテンツの音量の設定値や、当該コンテンツの再生位置の設定値を取得する。そして、処理実行部１３は、取得した所定のパラメタの設定値を、出力制御部１５に出力する。
【００９８】
（ステップＳ１０５）
出力制御部１５は、処理実行部１３から、コンテンツを再生するためのアプリケーションの制御結果として、所定のパラメタ（例えば、コンテンツの再生位置や音量）の設定値を示す情報を取得する。この場合には、出力制御部１５は、取得した情報に基づき、ユーザインタフェースｖ１０を更新する。
【００９９】
具体的な一例として、出力制御部１５は、コンテンツの再生位置を示す設定値を示す情報を処理実行部１３から取得し、取得した情報に基づき、ユーザインタフェースｖ１０上に提示された文字情報の横方向に向けた表示態様の変化を制御する。
【０１００】
また、他の一例として、出力制御部１５は、コンテンツの音量を示す設定値を示す情報を処理実行部１３から取得し、取得した情報に基づき、ユーザインタフェースｖ１０上に提示された文字情報の縦方向に向けた表示態様の変化を制御する。
【０１０１】
（ステップＳ１０７）
また、情報処理装置１は、ユーザインタフェースｖ１０に対するユーザからの入力操作を受けて、各種パラメタ設定値を更新し、更新結果に応じて、ユーザインタフェースｖ１０の表示態様を制御してもよい。
【０１０２】
（ステップＳ１０９）
具体的には、処理実行部１３は、認識された入力操作の内容に基づき、ユーザインタフェースｖ１０に対する操作がなされたことを認識した場合（ステップＳ１０７、ＹＥＳ）には、認識された入力操作の内容に基づき、コンテンツを再生するためのアプリケーションの動作を制御する。
【０１０３】
例えば、処理実行部１３は、ユーザインタフェースｖ１０に対する操作が、縦方向に向けた操作であるものと認識した場合には、当該操作の内容に応じて、コンテンツを再生するためのアプリケーションの動作を制御することで、当該コンテンツの音量を調整する。
【０１０４】
また、処理実行部１３は、ユーザインタフェースｖ１０に対する操作が、横方向に向けた操作であるものと認識した場合には、当該操作の内容に応じて、コンテンツを再生するためのアプリケーションの動作を制御することで、当該コンテンツの再生位置を調整する。
【０１０５】
そして、処理実行部１３は、各種パラメタの調整後の設定値を示す情報を出力制御部１５に出力する（ステップＳ１０３）。なお、この場合には、出力制御部１５は、各種パラメタの調整後の設定値を示す情報を受けて、取得した情報に基づき、ユーザインタフェースｖ１０を更新することとなる（ステップＳ１０５）。
【０１０６】
（ステップＳ１１１）
情報処理装置１は、以上の動作を、コンテンツの再生が終了するまで継続する（ステップＳ１１１、ＮＯ）。そして、コンテンツの再生が終了すると（ステップＳ１１１、ＹＥＳ）、情報処理装置１は、一連の動作を終了する。
【０１０７】
以上、図８を参照して、本実施形態に係る情報処理装置１の一連の動作の流れの一例について、楽曲や映像等のコンテンツを再生する機能が、ユーザからの操作に基づき実行され、図３に示すユーザインタフェースｖ１０が提示される場合を例に説明した。
【０１０８】
＜４．変形例＞
次に、本実施形態に係る情報処理装置１の変形例として、ユーザインタフェースｖ１０の表示態様の一例について説明する。
【０１０９】
［４．１．変形例１：表示幅の制御例］
図３を参照して前述したように、本実施形態に係るユーザインタフェースｖ１０では、コンテンツに関する文字情報の表示態様が制御されることで、当該表示態様の変化により、当該コンテンツの再生に係る各種パラメタの設定値が視覚的に提示される。具体的には、図３に示す例の場合には、コンテンツに関する文字情報が占める領域中が、現在の再生位置に対応する横方向の位置を基準として、再生済みの領域と、未再生の領域とが異なる色で提示されることで、現在の再生位置が視覚的に提示されている。
【０１１０】
一方で、本実施形態に係るユーザインタフェースｖ１０は、上記に説明した特性上、コンテンツに関する文字情報の幅が極端に狭いような場合（例えば、文字数が少ない等の要因により文字列の長さが短い場合）には、パラメタの設定値を表示態様の変化として提示する領域が制限される場合がある。
【０１１１】
そこで、変形例１として、各種パラメタの設定値に応じた表示態様の変化を提示するための表示領域として、より広い領域を確保するための、ユーザインタフェースｖ１０の提示方法の一例について説明する。
【０１１２】
例えば、図９は、変形例１に係るユーザインタフェースｖ１０の一例について説明するための説明図であり、コンテンツに関する文字情報の提示方法の一例を示している。図９に示す例では、情報処理装置１は、コンテンツに関する文字情報の幅が閾値よりも狭い場合（例えば、文字数が閾値以下の場合）には、当該文字情報に含まれる各文字のうち少なくとも一部の文字を所定の方向に向けて延伸するように変形させることで、当該文字情報の幅を広げている。
【０１１３】
例えば、図９において、参照符号ｖ１０１は、各文字が延伸される前の文字情報の一例を示しており、参照符号ｄ１１は、このときの各文字の文字幅を示している。また、参照符号ｖ１０２は、文字情報ｖ１０１の各文字が横方向に向けて延伸された場合の文字情報の一例を示しており、参照符号ｄ１２は、このときの各文字の文字幅（ｄ１２＞ｄ１１）を示している。
【０１１４】
図９に示すように、文字情報に含まれる文字を横方向に向けて延伸するように変形させることで、当該文字情報の幅が横方向に向けて広がるため、横方向に向けた表示態様の変化を提示するための領域として、より広い領域を確保することが可能となる。
【０１１５】
また、他の一例として、情報処理装置１は、コンテンツに関する文字情報と共に、当該文字情報とは異なる表示オブジェクトをあわせて提示することで、各種パラメタの設定値に応じた表示態様の変化を提示するための表示領域として、より広い領域を確保してもよい。
【０１１６】
例えば、図１０は、変形例１に係るユーザインタフェースｖ１０の一例について説明するための説明図である。図１０に示す例では、情報処理装置１は、コンテンツに関する文字情報ｖ１０３の前後の、当該文字情報が提示されていない空間に、スペーサーとなる表示オブジェクトｖ１１１を、当該文字情報ｖ１０３と共に提示している。そして、図１０に示す例では、情報処理装置１は、文字情報ｖ１０３と表示オブジェクトｖ１１１との双方を、表示態様の変化を提示するための表示領域として利用する。
【０１１７】
即ち、図１０に示すように、文字情報が提示されていない、当該文字情報の前後の空間に表示オブジェクトが提示されることで、横方向に向けた表示態様の変化を提示するための領域として、より広い領域を確保することが可能となる。
【０１１８】
また、図１１は、変形例１に係るユーザインタフェースｖ１０の一例について説明するための説明図である。図１１に示す例では、情報処理装置１は、コンテンツに関する文字情報に含まれる文字の少なくとも一部の要素が、所定の方向に向けて延伸するように形成された表示オブジェクトを、当該文字情報と共に提示している。
【０１１９】
具体的な一例として、情報処理装置１は、参照符号ｖ１０４で示された文字情報に含まれる「Ｆ」の文字の各要素のうち、横方向に向けて延伸する一部の要素が、左方向に向けて延伸するように形成された表示オブジェクトｖ１１３を提示している。
【０１２０】
また、情報処理装置１は、参照符号ｖ１０５で示された文字情報に含まれる「３」の文字の各要素のうち、一部の要素が、右方向に向けて延伸するように形成された表示オブジェクトｖ１１５を提示している。
【０１２１】
即ち、図１１に示すように、文字情報に含まれる文字の少なくとも一部の要素が、横方向に向けて延伸するように形成された表示オブジェクトが、当該文字情報と共に提示されることで、横方向に向けた表示態様の変化を提示するための領域として、より広い領域を確保することが可能となる。
【０１２２】
なお、図１１に示す例の場合には、情報処理装置１は、対象となる文字（もしくは、文字の種別）に応じて、当該文字のいずれの要素に基づき表示オブジェクトを形成するかを、選択的に切り替えてもよい。
【０１２３】
また、図１２は、変形例１に係るユーザインタフェースｖ１０の一例について説明するための説明図である。図１２に示す例では、情報処理装置１は、アルファベットを含む文字情報ｖ１０６を提示する場合に、所謂ディセントやハイトの違いにより生じる空間に表示オブジェクトｖ１１７を提示している。
【０１２４】
図１２に示すように、表示オブジェクトｖ１１７を提示することで、文字の違いにより生じる空間を、表示態様の変化を提示するための領域として利用することが可能となるため、表示態様の変化の視認性がより向上する。
【０１２５】
なお、情報処理装置１は、上記に説明した、表示態様の変化を提示するための領域を確保するための制御を適用するか否かについては、各種状態の検出結果に応じて切り替えてもよい。具体的な一例として、情報処理装置１は、文字情報の幅の広さが閾値を下回る場合に（例えば、文字数が閾値未満の場合）、上記に説明したような制御に基づき、表示態様の変化を提示するための領域を確保してもよい。
【０１２６】
また、他の一例として、図１３に示した例が挙げられる。図１３に示す例は、変形例１に係るユーザインタフェースｖ１０の一例について説明するための説明図であり、ユーザからの入力操作が受け付けられているか否かに応じて、表示オブジェクトの提示の有無を切り替える場合の一例を示している。
【０１２７】
図１３において、参照符号ｖ１０ａは、指等の操作体ｕ１１によるユーザからの入力操作が受け付けられていない状態におけるユーザインタフェースｖ１０の表示の一例を示している。また、参照符号ｖ１０ｂは、指等の操作体ｕ１１によるユーザからの入力操作が受け付けられている状態におけるユーザインタフェースｖ１０の表示の一例を示している。
【０１２８】
即ち、図１３に示す例では、参照符号ｖ１０ａに示すように、ユーザからの入力操作が受け付けられていない状態では、情報処理装置１は、コンテンツに関する文字情報のみを提示している。一方で、参照符号ｖ１０ｂに示すように、ユーザからの入力操作が受け付けられている状態では、情報処理装置１は、コンテンツに関する文字情報に加えて、表示オブジェクトｖ１１７を提示することで、表示態様の変化を提示するための領域を拡張している。
【０１２９】
このような制御により、ユーザがユーザインタフェースｖ１０を操作中であるという所定の条件下において、表示態様の変化の視認性を向上させ、その他の条件下では、表示オブジェクトｖ１１７の提示が抑制された、より簡潔な情報の提示が可能となる。
【０１３０】
以上、変形例１として、図９〜図１３を参照して、各種パラメタの設定値に応じた表示態様の変化を提示するための表示領域として、より広い領域を確保するための、ユーザインタフェースｖ１０の提示方法の一例について説明した。
【０１３１】
［４．２．変形例２：表示態様の制御例１］
次に、変形例２に係るユーザインタフェースの一例について説明する。前述した実施形態に係るユーザインタフェースｖ１０（図３参照）では、コンテンツに関する文字情報が占める領域中の表示態様の変化が制御されることで、各種パラメタの設定値が視覚的に提示されていた。一方で、コンテンツに関する文字情報の表示態様の変化を制御することで、各種パラメタの設定値を視覚的に提示することが可能であれば、その方法は必ずしも前述した実施形態に係る例には限定されない。そこで、変形例２として、ユーザインタフェースｖ１０として提示される文字情報の表示態様の制御の一例について説明する。
【０１３２】
例えば、図１４は、変形例２に係るユーザインタフェースの一例について説明するための説明図である。なお、図１４に示すユーザインタフェースを、前述した実施形態に係るユーザインタフェースｖ１０と区別するために、「ユーザインタフェースｖ２０」と称する場合がある。
【０１３３】
図１４に示す例では、情報処理装置１は、所定のパラメタの設定値に応じて、コンテンツに関する文字情報の表示態様が、当該文字情報に含まれる文字の書き順が示す方向ｖ２１に向けて変化するように、当該文字情報の表示態様を制御している。このように、各種パラメタの設定値に応じて、コンテンツに関する文字情報の表示態様を変化させることで、当該設定値を視覚的に提示することが可能であれば、当該文字情報の表示態様を変化させる方向は、必ずしも直線方向には限定されない。
【０１３４】
［４．３．変形例３：表示態様の制御例２］
次に、変形例３に係るユーザインタフェースの一例について説明する。変形例３では、図１５〜図１８を参照して、コンテンツに関する文字情報が複数行に亘って提示される場合における、当該文字情報帆の表示態様の制御の一例について説明する。図１５〜図１８は、変形例３に係るユーザインタフェースの一例について説明するための説明図である。なお、図１５〜図１７に示すユーザインタフェースの一例を、前述した実施形態や実施例に係るユーザインタフェースと区別するために、それぞれ、「ユーザインタフェースｖ３１」、「ユーザインタフェースｖ３２」、及び「ユーザインタフェースｖ３３」と称する場合がある。同様に、図１８に示すユーザインタフェースの一例を、「ユーザインタフェースｖ４０」と称する場合がある。
【０１３５】
例えば、図１５に示すユーザインタフェースｖ３１では、複数行の文字情報が、両端をそろえて一連の文字情報として提示され、対応するパラメタの設定値に応じて、当該一連の文字情報の表示態様が、横方向に向けて変化するように制御されている。具体的には、図１５に示す例では、コンテンツの再生位置を対象となるパラメタとした場合に、再生位置の変化に応じて、複数行の文字情報の表示態様が連動して横方向に変化するように制御される。
【０１３６】
また、図１６に示すユーザインタフェースｖ３２では、複数行の文字情報の表示態様が、対応するパラメタの設定値に応じて、行ごとに横方向に向けて変化するように制御されている。即ち、図１６に示す例では、コンテンツの再生位置を対象となるパラメタとして場合に、再生位置の変化に応じて、まず１行目の文字情報の表示態様が変化し、次いで、２行目、３行目の順で文字情報の表示態様が変化するように制御される。
【０１３７】
また、図１７に示すユーザインタフェースｖ３３に示すように、複数行の文字情報が提示される場合に、各行の文字情報の表示位置が行ごとに制御されていてもよい。なお、この場合には、図１５を参照して説明したように、複数行の文字情報が一連の文字情報として提示され、対応するパラメタの設定値に応じて、当該一連の文字情報の表示態様が、横方向に向けて変化するように制御されてもよい。また、他の一例として、図１６を参照して説明したように、複数行の文字情報の表示態様が、対応するパラメタの設定値に応じて、行ごとに横方向に向けて変化するように制御されてもよい。
【０１３８】
また、図１８は、行ごとの文字情報それぞれに対して、互いに異なるパラメタを関連付けた場合の、ユーザインタフェースの一例を示している。具体的には、図１８に示すユーザインタフェースｖ４０では、文字情報ｖ４１に対して、チャプター（例えば、動画コンテンツの一部のチャプター）ごとの再生位置を示すパラメタが関連付けられている。また、文字情報ｖ４１とは異なる行に提示された文字情報ｖ４３には、複数チャプターを含む一連のコンテンツ全体（例えば、動画コンテンツ全体）における、再生位置を示すパラメタが関連付けられている。
【０１３９】
このような構成により、情報処理装置１は、複数のパラメタそれぞれの設定値を、当該パラメタが関連付けられた文字情報の表示態様の変化として視覚的に提示することが可能となる。
【０１４０】
［４．４．変形例４：表示態様の制御例３］
次に、変形例４に係るユーザインタフェースの一例について説明する。変形例４では、コンテンツに関する文字情報に含まれる各文字のうち、対応するパラメタの設定値に応じて選択された文字の表示態様が制御される場合の一例について説明する。
【０１４１】
例えば、図１９は、変形例４に係るユーザインタフェースの一例について説明するための説明図である。なお、図１９に示したユーザインタフェースを、前述した実施形態や実施例に係るユーザインタフェースと区別するために、「ユーザインタフェースｖ５０」と称する場合がある。
【０１４２】
図１９に示す例では、情報処理装置１は、図３に示したユーザインタフェースｖ１０と同様に、コンテンツに関する文字情報が占める領域を、コンテンツの再生位置に応じて、再生済みの領域と、未再生の領域とに分けて、互いに異なる色で提示している。
【０１４３】
また、図１９に示す例では、情報処理装置１は、コンテンツに関する文字情報のうち、表示態様が変化中の文字については、表示態様が変化していない場合とは異なる表示態様で提示している。ここで、図１９において、コンテンツに関する文字情報に含まれる各文字のうち、「Ｄ」の文字の表示態様に着目して説明する。
【０１４４】
例えば、図１９において、参照符号ｖ５０ａで示された状態では、コンテンツに関する文字情報が占める領域のうち、再生済みの領域と、未再生の領域との間の境界が、参照符号ｖ５０１ａで示された「Ｄ」の文字上に位置していない。即ち、参照符号ｖ５０ａで示された例では、参照符号ｖ５０１ａで示された「Ｄ」の文字は、表示態様が変化していない状態である。
【０１４５】
これに対して、参照符号ｖ５０ｂで示された状態では、コンテンツに関する文字情報が占める領域のうち、再生済みの領域と、未再生の領域との間の境界が、参照符号ｖ５０１ｂで示された「Ｄ」の文字上に位置している。即ち、参照符号ｖ５０ｂで示された例では、参照符号ｖ５０１ｂで示された「Ｄ」の文字は、再生位置の変化に応じて、色が変化するように制御されている状態にある。
【０１４６】
ここで、参照符号ｖ５０ｂで示された状態では、情報処理装置１は、参照符号ｖ５０１ａで示された「Ｄ」の文字を、参照符号ｖ５０１ｂに示すように、「Ｄ」の文字の空白部分が埋められた文字（または、記号や図柄）に置き換えている。このような構成により、ユーザは、再生位置の変化に応じた文字の表示態様の変化（例えば、色の変化）を、より判別しやすくなる。
【０１４７】
また、図２０は、変形例４に係るユーザインタフェースの他の一例について説明するための説明図である。なお、図２０に示したユーザインタフェースを、前述した実施形態や実施例に係るユーザインタフェースと区別するために、「ユーザインタフェースｖ６０」と称する場合がある。
【０１４８】
図１９に示したユーザインタフェースｖ５０では、対応するパラメタの設定値に応じて選択された文字を、当該文字とは異なる形態の文字（または、記号や図柄）に置き換えることで、対応する文字の表示態様の変化を、より判別しやすくしている。これに対して、図２０に示すユーザインタフェースｖ６０では、対応するパラメタの設定値に応じて選択された文字を拡大することで、対応する文字の表示態様の変化を、より判別しやすくしている。
【０１４９】
例えば、参照符号ｖ６０ａとして示された例では、コンテンツに関する文字情報が占める領域のうち、再生済みの領域と、未再生の領域との間の境界が、参照符号ｖ６０１ａで示された「Ｄ」の文字上に位置している。即ち、参照符号ｖ６０ａとして示された例では、参照符号ｖ６０１ａで示された「Ｄ」の文字は、再生位置の変化に応じて、色が変化するように制御されている状態にある。
【０１５０】
ここで、参照符号ｖ６０ａとして示された例では、情報処理装置１は、参照符号ｖ６０１ａに示すように、「Ｄ」の文字を拡大して提示することで、対応する文字の表示態様の変化（即ち、再生位置に応じた色の変化）を、より判別しやすくしている。
【０１５１】
なお、参照符号ｖ６０ｂに示すように、ユーザインタフェースｖ６０に対して、ユーザが操作体ｕ１１による入力操作を行う場合においても、情報処理装置１は、当該入力操作に基づく設定値の変化に応じて、対応する文字ｖ６０１ｂが拡大表示されるように制御してもよい。
【０１５２】
また、図２１は、変形例４に係るユーザインタフェースの他の一例について説明するための説明図である。なお、図２１に示したユーザインタフェースを、前述した実施形態や実施例に係るユーザインタフェースと区別するために、「ユーザインタフェースｖ７０」と称する場合がある。
【０１５３】
図２１に示す例では、情報処理装置１は、図３に示したユーザインタフェースｖ１０と同様に、コンテンツに関する文字情報が占める領域を、コンテンツの再生位置に応じて、再生済みの領域と、未再生の領域とに分けて、互いに異なる色で提示している。
【０１５４】
また、図２１において、参照符号ｖ７０１で示された文字は、コンテンツに関する文字情報のうち、再生済み領域に含まれる文字を示している。また、参照符号ｖ７０３で示された文字は、再生済みの領域と、未再生の領域との間の境界が位置する文字（換言すると、再生中の領域に対応する文字）を示している。また、参照符号ｖ７０５で示された文字は、未再生の領域の領域に含まれる文字を示している。
【０１５５】
図２１に示す例では、情報処理装置１は、コンテンツに関する文字情報中の再生中及び未再生の領域に含まれる文字ｖ７０３及びｖ７０５を、再生済みの領域に含まれる文字ｖ７０１よりも強調された文字（太い文字）として提示している。
【０１５６】
このような構成により、ユーザは、現在の再生位置をより直感的に認識することが可能となる。
【０１５７】
また、図２２は、変形例４に係るユーザインタフェースの他の一例について説明するための説明図である。なお、図２２に示したユーザインタフェースを、前述した実施形態や実施例に係るユーザインタフェースと区別するために、「ユーザインタフェースｖ８０」と称する場合がある。
【０１５８】
図２２に示す例では、情報処理装置１は、図３に示したユーザインタフェースｖ１０と同様に、コンテンツに関する文字情報が占める領域を、コンテンツの再生位置に応じて、再生済みの領域と、未再生の領域とに分けて、互いに異なる色で提示している。
【０１５９】
また、図２２において、参照符号ｖ８０１で示された文字は、コンテンツに関する文字情報のうち、再生済みの領域に含まれる文字を示している。また、参照符号ｖ８０３で示された文字は、再生済みの領域と、未再生の領域との間の境界が位置する文字（換言すると、再生中の領域に対応する文字）を示している。また、参照符号ｖ８０５で示された文字は、未再生の領域の領域に含まれる文字を示している。
【０１６０】
図２２に示す例では、情報処理装置１は、コンテンツに関する文字情報に含まれる文字のうち、再生済み及び再生中の領域に含まれる文字ｖ８０１及びｖ８０３のみが斜体で提示されるように、当該文字情報の表示態様を制御している。
【０１６１】
このような構成により、ユーザは、図２１に示すユーザインタフェースｖ７０と同様に、現在の再生位置をより直感的に認識することが可能となる。
【０１６２】
なお、上記に示した例はあくまで一例であり、コンテンツに関する文字情報に含まれる各文字のうち、対応するパラメタの設定値に応じて選択された文字の表示態様が制御されれば、その方法は特に限定されない。具体的な一例として、情報処理装置１は、情報処理装置１は、再生済みの領域に含まれる文字の幅が、再生中及び未再生の領域に含まる文字の幅よりも狭くなるように、当該文字情報の表示態様を制御してもよい。
【０１６３】
以上、変形例４として、図１９〜図２２を参照して、コンテンツに関する文字情報に含まれる各文字のうち、対応するパラメタの設定値に応じて選択された文字の表示態様が制御される場合の一例について説明した。
【０１６４】
＜５．ハードウェア構成＞
次に、図２３を参照して、本開示の各実施形態に係る情報処理装置１のハードウェア構成の一例について説明する。図２３は、本開示の実施形態に係る情報処理装置１のハードウェア構成の一例を示した図である。
【０１６５】
図２３に示すように、本実施形態に係る情報処理装置１は、プロセッサ９０１と、メモリ９０３と、ストレージ９０５と、操作デバイス９０７と、表示デバイス９０９と、バス９１３とを含む。また、情報処理装置１は、通信デバイス９１１を含んでもよい。
【０１６６】
プロセッサ９０１は、例えばＣＰＵ（Central  Processing  Unit）、ＧＰＵ（Graphics  Processing  Unit）、ＤＳＰ（Digital  Signal  Processor）又はＳｏＣ（System  on  Chip）であってよく、情報処理装置１の様々な処理を実行する。プロセッサ９０１は、例えば、各種演算処理を実行するための電子回路により構成することが可能である。なお、前述した制御部１０の各構成は、プロセッサ９０１により実現され得る。
【０１６７】
メモリ９０３は、ＲＡＭ（Random  Access  Memory）及びＲＯＭ（Read  Only  Memory）を含み、プロセッサ９０１により実行されるプログラム及びデータを記憶する。ストレージ９０５は、半導体メモリ又はハードディスクなどの記憶媒体を含み得る。例えば、前述した記憶部３０は、メモリ９０３及びストレージ９０５の少なくともいずれか、もしくは、双方の組み合わせにより実現され得る。
【０１６８】
操作デバイス９０７は、ユーザが所望の操作を行うための入力信号を生成する機能を有する。操作デバイス９０７は、例えば、タッチパネルとして構成され得る。また、他の一例として、操作デバイス９０７は、例えばボタン及びスイッチなどユーザが情報を入力するための入力部と、ユーザによる入力に基づいて入力信号を生成し、プロセッサ９０１に供給する入力制御回路などから構成されてよい。例えば、前述した入力部２１は、操作デバイス９０７により実現され得る。
【０１６９】
表示デバイス９０９は、出力デバイスの一例であり、例えば、液晶ディスプレイ（ＬＣＤ：Liquid  Crystal  Display）装置、有機ＥＬ（ＯＬＥＤ：Organic  Light  Emitting  Diode）ディスプレイなどのデバイスであってよい。即ち、表示デバイス９０９は、画面を表示することにより、ユーザに対して所定の情報を報知することができる。なお、前述した出力部２３は、表示デバイス９０９により実現され得る。
【０１７０】
通信デバイス９１１は、情報処理装置１が備える通信手段であり、ネットワークを介して外部装置と通信する。通信デバイス９１１は、有線または無線用の通信インタフェースである。通信デバイス９１１を、無線通信インタフェースとして構成する場合には、当該通信デバイス９１１は、通信アンテナ、ＲＦ（Radio  Frequency）回路、ベースバンドプロセッサなどを含んでもよい。
【０１７１】
通信デバイス９１１は、外部装置から受信した信号に各種の信号処理を行う機能を有し、受信したアナログ信号から生成したデジタル信号をプロセッサ９０１に供給することが可能である。
【０１７２】
バス９１３は、プロセッサ９０１、メモリ９０３、ストレージ９０５、操作デバイス９０７、表示デバイス９０９、及び通信デバイス９１１を相互に接続する。バス９１３は、複数の種類のバスを含んでもよい。
【０１７３】
また、コンピュータに内蔵されるプロセッサ、メモリ、及びストレージなどのハードウェアを、上記した情報処理装置１が有する構成と同等の機能を発揮させるためのプログラムも作成可能である。また、当該プログラムを記録した、コンピュータに読み取り可能な記憶媒体も提供され得る。
【０１７４】
＜６．まとめ＞
以上説明したように、本実施形態に係る情報処理装置１は、コンテンツに関連する文字情報が提示された表示領域に対する操作の内容に基づき、所定のパラメタの設定値を更新し、当該パラメタの設定値に応じて、当該文字情報の表示態様を制御する。即ち、本実施形態に係る情報処理装置１は、所定のパラメタの設定値の変化を、コンテンツに関する文字情報の表示態様の変化として視覚的に提示する。このような構成により、本実施形態に係る情報処理装置１は、コンテンツに関する情報と、所定のパラメタの設定値を提示するための情報と、当該設定値を変更するためのインタフェースとを、一連の表示情報として、共通の領域に提示することが可能となる
【０１７５】
また、本実施形態に係る情報処理装置１は、複数のパラメタの設定値を、パラメタごとに互いに異なる方向に向けた文字情報の表示態様の変化として提示する。このような構成により、コンテンツに関する情報と、複数のパラメタそれぞれの設定値を提示するための情報と、当該設定値それぞれを変更するインタフェースとを、一連の表示情報として、共通の領域に提示することが可能となる
【０１７６】
以上のような構成により、本実施形態に係る情報処理装置１は、ユーザインタフェースを提示するための限られた領域を有効に活用することが可能となる。そのため、本実施形態に係る情報処理装置１は、特に、装置の小型化に伴いユーザインタフェースがより小型化するような場合においても、操作画面の煩雑化を抑制し、かつ、より直感的なユーザインタフェースを提供することが可能となる。
【０１７７】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１７８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１７９】
なお、以下のような構成も本開示の技術的範囲に属する。
（１）
コンテンツに関連する文字情報が提示された表示領域に対する操作に基づき、当該コンテンツに関する所定のパラメタを設定する制御部を備え、
前記制御部は、前記パラメタに応じて、前記文字情報の表示態様を制御する、情報処理装置。
（２）
前記制御部は、前記パラメタに応じて、前記文字情報の表示態様が、当該文字情報に対する所定の方向に向けて変化するように制御する、前記（１）に記載の情報処理装置。
（３）
前記制御部は、前記パラメタに応じて、前記文字情報が占める領域中の表示態様を制御する、前記（２）に記載の情報処理装置。
（４）
前記文字情報の表示態様が変化する方向は、当該文字情報として使用される言語に応じた文字が書き進められる書字方向に応じて決定される、前記（２）または（３）に記載の情報処理装置。
（５）
前記制御部は、互いに異なる複数の前記パラメタのうち、少なくとも一部の前記パラメタに応じて、前記文字情報の表示態様が、当該パラメタに対応付けられた方向に向けて変化するように制御する、前記（２）〜（４）のいずれか一項に記載の情報処理装置。
（６）
前記制御部は、互いに異なる複数の前記パラメタのうち、第１のパラメタと、当該第１のパラメタとは異なる第２のパラメタとのそれぞれに対して、前記文字情報の表示態様を変化させる方向として、互いに異なる方向を対応付ける、前記（５）に記載の情報処理装置。
（７）
前記制御部は、前記表示領域中の前記文字情報が提示されていない少なくとも一部の領域に対して、表示オブジェクトが提示されるように、当該表示領域の表示を制御する、前記（１）〜（６）のいずれか一項に記載の情報処理装置。
（８）
前記制御部は、前記文字情報とは異なる前記表示オブジェクトが、前記一部の領域に提示されるように、前記表示領域の表示を制御する、前記（７）に記載の情報処理装置。
（９）
前記制御部は、前記文字情報に含まれる文字の少なくとも一部の要素が、所定の方向に向けて延伸するように形成された表示オブジェクトが、前記一部の領域に提示されるように、前記表示領域の表示を制御する、前記（７）に記載の情報処理装置。
（１０）
前記制御部は、前記文字情報に含まれる少なくとも一部の文字に応じて、提示される前記表示オブジェクトを切り替える、前記（７）〜（９）のいずれか一項に記載の情報処理装置。
（１１）
前記制御部は、前記文字情報の長さに応じて、前記表示オブジェクトの表示態様を制御する、前記（７）〜（１０）のいずれか一項に記載の情報処理装置。
（１２）
前記制御部は、前記表示領域に対する操作の有無に応じて、前記表示オブジェクトの表示態様を制御する、前記（７）〜（１１）のいずれか一項に記載の情報処理装置。
（１３）
前記制御部は、前記表示領域中に表示された内容が所定の条件を満たす場合に、前記文字情報のうち、少なくとも一部の文字が所定の方向に向けて延伸するように、当該文字を変形させる、前記（１）〜（１２）のいずれか一項に記載の情報処理装置。
（１４）
前記制御部は、前記文字情報に含まれる各文字のうち、前記パラメタに応じた少なくとも一部の文字の表示態様を制御する、前記（１）〜（１３）のいずれか一項に記載の情報処理装置。
（１５）
プロセッサが、
コンテンツに関連する文字情報が提示された表示領域に対する操作に基づき、当該コンテンツに関する所定のパラメタを設定することと、
前記パラメタに応じて、前記文字情報の表示態様を制御することと、
を含む、情報処理方法。
（１６）
コンピュータに、
コンテンツに関連する文字情報が提示された表示領域に対する操作に基づき、当該コンテンツに関する所定のパラメタを設定することと、
前記パラメタに応じて、前記文字情報の表示態様を制御することと、
を実行させる、プログラム。
【符号の説明】
【０１８０】
１    情報処理装置
１０  制御部
１１  入力解析部
１３  処理実行部
１５  出力制御部
２１  入力部
２３  出力部
３０  記憶部
４０  出力部
【図１】
2016181097.tif 000003
【図２】
2016181097.tif 000004
【図３】
2016181097.tif 000005
【図４】
2016181097.tif 000006
【図５】
2016181097.tif 000007
【図６】
2016181097.tif 000008
【図７】
2016181097.tif 000009
【図８】
2016181097.tif 000010
【図９】
2016181097.tif 000011
【図１０】
2016181097.tif 000012
【図１１】
2016181097.tif 000013
【図１２】
2016181097.tif 000014
【図１３】
2016181097.tif 000015
【図１４】
2016181097.tif 000016
【図１５】
2016181097.tif 000017
【図１６】
2016181097.tif 000018
【図１７】
2016181097.tif 000019
【図１８】
2016181097.tif 000020
【図１９】
2016181097.tif 000021
【図２０】
2016181097.tif 000022
【図２１】
2016181097.tif 000023
【図２２】
2016181097.tif 000024
【図２３】
2016181097.tif 000025